(57)【要約】【課題】車両の搬送時等において、電源回路中のヒューズを抜き取ることなく、負荷への暗電流の供給を遮断する。【解決手段】暗電流が供給される全ての負荷へ電源を分配する電源分配器と、前記電源分配器とバッテリとの接続回路に介設する電源供給断続用のリレーと、前記電源分配器と接続されて暗電流が供給されると共に、前記リレーと接続してリレーをオン・オフ制御する電源供給制御用の電子制御ユニットと、前記リレーと前記電子制御ユニットとに一時的に接続する外部制御手段とを備え、電源遮断時には外部制御手段から電子制御ユニットにリレー・オフ信号を送信し、該電子制御ユニットからの信号でリレーをオフして電源分配器および自電子制御ユニットへの暗電流の供給を停止する一方、電源供給開始時には、外部制御手段で直接にリレーをオン状態に切り替えて、電源分配器を介して電子制御ユニットへ暗電流を供給することを特徴とする。【選択図】図１
2008290604.tif 000002
【特許請求の範囲】
【請求項１】
暗電流が供給される全ての負荷へ電源を分配する電源分配器と、
前記電源分配器とバッテリとの接続回路に介設する電源供給断続用のリレーと、
前記電源分配器と接続されて暗電流が供給されると共に、前記リレーと接続してリレーをオン・オフ制御する電源供給制御用の電子制御ユニットと、
前記リレーと前記電子制御ユニットとに一時的に接続する外部制御手段とを備え、
電源遮断時には、前記外部制御手段から前記電子制御ユニットにリレー・オフ信号を送信し、該電子制御ユニットからの信号で前記リレーをオフして前記電源分配器および自電子制御ユニットへの暗電流の供給を停止する一方、
電源供給開始時には、前記外部制御手段で直接にリレーをオン状態に切り替えて、前記電源分配器を介して前記電子制御ユニットへ暗電流を供給することを特徴とする車両用電源制御システム。
【請求項２】
前記リレーの接点を開閉するリレーコイルの出力端および前記電源供給制御用の電子制御ユニットとが接続される車体側コネクタを備え、
前記外部制御手段は、前記車体側コネクタと接続される外部コネクタ及び該外部コネクタと接続した操作器とからなり、
前記操作器は、前記リレーコイルの出力端と前記車体側コネクタおよび外部コネクタを介して接続される操作用の開閉スイッチを備え、該開閉スイッチで開閉される回路の下流端はアース接続され、前記電源遮断時には前記開閉スイッチを開成操作する一方、電源供給開始時は前記開閉スイッチは閉成し、前記リレーコイルを通電してリレー接点を閉じ、かつ、前記電源供給制御用の電子制御ユニットにリレーオフ信号を送信する送信スイッチを備えている請求項１に記載の車両用電源制御システム。
【発明の詳細な説明】
【技術分野】
【０００１】
本発明は、車両用電源制御システムに関し、詳しくは、自動車メーカーの製造工場から販売地への自動車の船舶輸送時や搬送車に搭載して陸送する際に、バッテリから負荷への暗電流を供給停止してバッテリの消費電力の低減を図るものである。
【背景技術】
【０００２】
従来、車両においてイグニッションスイッチがオフのときに負荷に供給される待機電源（暗電流）を低減して、バッテリの負担を軽減することが望まれている。
特に、製造された車両を製造工場からディーラー等へ輸送する際には、長時間にわたって暗電流が流れ続けるため、バッテリの電力が消費され続け、イグニッションスイッチをオンして起動する時に、起動困難となるおそれがある。そのため、バッテリの電源を複数の負荷に分配する電源分配器に収容したヒューズを抜き取って回路を開き、暗電流が流れないようにしている場合がある。
しかしながら、電源分配器に収容したヒューズを抜き取る作業は煩雑であり、かつ、負荷への電源供給を再開するときに抜き取ったヒューズを取り付けなければならず、作業手数が増える問題がある。
【０００３】
そこで、特開平４−９８９２５号公報（特許文献１）において、ヒューズを抜き取ることなく前記暗電流を低減することができる通信装置が提供されている。該通信装置１は、図４に示すように、各負荷に接続された電子制御ユニット（ＥＣＵ）２〜５を備え、バッテリ６と接続されたＥＣＵ２の電源回路２ａと、該電源回路２ａと接続される各ＥＣＵ３〜５の電源回路３ａ〜５ａとの間にリレー回路２ｂを設け、該リレー回路２ｂを開成することによりＥＣＵ３〜５への電源の供給を遮断できるようにしている。
これにより、ＥＣＵ３〜５への暗電流の供給を遮断して、暗電流を低減し、バッテリ６の消費電力を低減することができる。
しかしながら、特許文献１で提供されている通信装置１では、バッテリ６と接続され、ＥＣＵ３〜５への電源供給を制御するＥＣＵ２への暗電流の供給を遮断することができない問題がある。
【０００４】
【特許文献１】特開平４−９８９２５号公報
【発明の開示】
【発明が解決しようとする課題】
【０００５】
本発明は前記問題に鑑みてなされたものであり、車両の搬送時等において、電源回路中のヒューズを抜き取ることなく、負荷への暗電流の供給を遮断することを課題としている。
【課題を解決するための手段】
【０００６】
前記課題を解決するため、本発明は、暗電流が供給される全ての負荷へ電源を分配する電源分配器と、
前記電源分配器とバッテリとの接続回路に介設する電源供給断続用のリレーと、
前記電源分配器と接続されて暗電流が供給されると共に、前記リレーと接続してリレーをオン・オフ制御する電源供給制御用の電子制御ユニットと、
前記リレーと前記電子制御ユニットとに一時的に接続する外部制御手段とを備え、
電源遮断時には、前記外部制御手段から前記電子制御ユニットにリレー・オフ信号を送信し、該電子制御ユニットからの信号で前記リレーをオフして前記電源分配器および自電子制御ユニットへの暗電流の供給を停止する一方、
電源供給開始時には、前記外部制御手段で直接にリレーをオン状態に切り替えて、前記電源分配器を介して前記電子制御ユニットへ暗電流を供給することを特徴とする車両用電源制御システムを提供している。
【０００７】
前記構成からなる車両用電源制御システムでは、車両の船舶輸送等の輸送開始時に、外部制御手段からの操作で前記電源供給制御用の電子制御ユニットにリレーオフ信号を送信し、該電子制御ユニットによりリレーをオフして電源分配器への電源供給を遮断し、該電源分配器から暗電流が供給される該電子制御ユニット自体への暗電流の供給も遮断でき、輸送期間におけるバッテリーの消費電力の低減を図ることができる。
一方、輸送終了後に電源供給を開始する時には、前記リレーをオン・オフ制御する電源供給制御用の電子制御ユニットにも電源が供給されていないため、該電子制御ユニットによりリレーをオンすることができないが、前記外部制御手段で直接にリレーをオン状態に切り替えて電源分配器へ電源を供給し、該電源分配器を介して前記電源供給制御用の電子制御ユニットを含めて負荷への暗電流の供給を再開することができる。
【０００８】
前記リレーの接点を開閉するリレーコイルの出力端および前記電源供給制御用の電子制御ユニットとが接続される車体側コネクタを備え、
前記外部制御手段は、前記車体側コネクタと接続される外部コネクタ及び該外部コネクタと接続した操作器とからなり、
前記操作器は、前記リレーコイルの出力端と前記車体側コネクタおよび外部コネクタを介して接続される操作用の開閉スイッチを備え、該開閉スイッチで開閉される回路の下流端はアース接続され、前記電源遮断時には前記開閉スイッチを開成操作する一方、電源供給開始時は前記開閉スイッチは閉成し前記リレーコイルに通電してリレー接点を閉じ、かつ、前記電源供給制御用の電子制御ユニットにリレーオフ信号を送信する送信スイッチを備える構成とすることが好ましい。
【０００９】
前記構成によれば、外部制御手段の開閉操作スイッチを閉成することによりリレーコイルに電流が通電されてリレー接点が閉じられ、負荷への暗電流の供給を再開することができる。このように、外部制御手段の開閉スイッチを閉成操作するだけでリレー接点を閉じて負荷への暗電流の供給を再開することができるため、リレーをオン・オフ制御する電源供給制御用の電子制御ユニットへの暗電流の供給を停止しても、外部制御手段を用いて暗電流の供給を再開することができる。
【００１０】
また、外部制御手段のコネクタは、車体側コネクタと着脱自在に接続することにより、１つの外部制御手段を複数の車両に汎用して用いることができる。これにより、車両毎に外部制御手段を設ける必要がなく、低コスト化を図ることができる。
【発明の効果】
【００１１】
前述したように、本発明によれば、電源分配器とバッテリとの接続回路に介設した電源供給断続用のリレーをオフする電子制御ユニット自体を、前記電源分配器に接続して暗電流が供給される構成としていることにより、該リレーをオフして電源分配器への電源供給を停止することで、前記リレーをオフする電子制御ユニットを含む全ての電子制御ユニットへの暗電流の供給を停止することができる。これにより、自動車の搬送期間中に暗電流が流れ続けるのを防止でき、電源回路中に設けられたヒューズを抜き取ることなく、バッテリの消費電力の低減を図ることができる。
一方、電源供給開始時には、前記外部制御手段で直接にリレーをオン状態に切り替えて、前記電源分配器に電源を供給しているため、該電源分配器に接続した前記リレー制御用の電源供給制御用の電子制御ユニットを含めて負荷への暗電流の供給を再開することができる。
【発明を実施するための最良の形態】
【００１２】
以下、本発明の実施形態を図面を参照して説明する。
図１乃至図３に本発明の実施形態を示す。
本実施形態の車両用電源制御システム１０は、車両を製造工場から販売地への輸送期間中は、暗電流供給制御を行う電子制御ユニット自体を含めて暗電流の供給をすべて遮断し、輸送終了後に暗電流の供給再開は外部制御手段３０を用いて行うものである。
【００１３】
図１に示すように、電源制御システム１０は、車両に搭載するバッテリ１１と電源分配器１３とを接続する接続回路２１に電源供給断続用のリレー１２を介設し、前記電源分配器１３に前記リレー１２をオン・オフ制御する電源供給制御用の電子制御ユニット１４（以下、電源供給制御用ＥＣＵと称す）を接続している。前記リレー１２と電源供給制御用ＥＣＵ１４は電源供給再開時に用いる外部制御手段（以下、外部ツールと称す）３０の外部コネクタ３１と接続される車体側コネクタ１５と接続している。
【００１４】
前記バッテリ１１と電源供給断続用のリレー１２を介して接続する電源分配器１３は暗電流が供給される全ての負荷と接続している。該電源分配器１３はバッテリー側の接続回路２１と接続された内部回路を複数に分岐させ、そのうちの１つの分岐回路２３Ａを電源供給制御用ＥＣＵ１４と接続する一方、残りの他の分岐回路２３Ｂを電子制御ユニット１６Ａ、１６Ｂと接続し、これら電子制御ユニット１６Ａ、１６Ｂを暗電流が供給される全ての負荷１７Ａ、１７Ｂと接続している。なお、電源分配器１３内の分岐回路２３Ａ、２３Ｂには、それぞれヒューズ１３ａを介設している。
このように、前記リレー１２を開閉する電子制御ユニット１４も電源分配器１３から暗電流を供給しているため、電源分配器１３への電源供給が遮断されると、電子制御ユニット１４自体にも暗電流が供給されない構成としている。
【００１５】
前記電源供給断続用のリレー１２のリレー接点１２ａはバッテリ１１と電源分配器１３との接続回路２１に介設する一方、リレーコイル１２ｂをバッテリ１１と電源供給制御用ＥＣＵ１４との接続回路２２に介設している。リレー１２は電源供給制御用ＥＣＵ１４からのオフ信号によりリレーコイル１２ｂに電流が通電されるとリレー接点１２ａが開いて電源分配器１３への電源供給が遮断され、それに基づいてリレー１２にオフ信号を発信した電源供給制御用ＥＣＵ１４自体への暗電流の供給も遮断している。
【００１６】
前記外部ツール３０は、前記のように、リレー１２および電源供給制御用ＥＣＵ１４と接続する車体側のコネクタ１５と接続する外部コネクタ３１と、該外部コネクタ３１と接続した操作器３２とからなる。
【００１７】
前記外部ツール３０と外部コネクタ３１と接続される車体側コネクタ１５は、電源供給制御用ＥＣＵ１４と通信線２４を介して接続している端子Ｔ１ａと、リレーコイル１２ｂの出力端と電源線２５を介して接続している端子Ｔ２ａ、アース線２６に接続した端子Ｔ３ａを備えている。該コネクタ１５は車両のインストルメントパネルに配置されており、操作員が室内側から外部ツール３０の外部コネクタ３１を車体側コネクタ１５に簡単にコネクタ接続できるようにしている。
【００１８】
前記外部ツール３０の外部コネクタ３１は前記車体側コネクタ１５の前記端子Ｔ１ａ〜Ｔ３ａと接続される端子Ｔ１ｂ〜Ｔ３ｂを収容しており、端子Ｔ１ｂは通信線４１を介して操作器３２内の送信スイッチ３５と接続し、端子Ｔ２ｂは電線４２を介してリレー操作用の常開の開閉スイッチ３６の接点３６ａと接続し、端子Ｔ３ｂは電線４３を介して開閉スイッチ３６の接点３６ｂと接続し、開閉スイッチ３６の閉じ操作で接点３６ａと３６ｂとを閉成している。該開閉スイッチ３６は閉成で、バッテリー１０、リレーコイル１２ｂ、電源線２５、車体側コネクタ１５、外部コネクタ３１、開閉スイッチ３６、アース線２６を通る通電経路が成立し、リレーコイル１２ｂに電源が供給され、開動作しているリレー接点１２ａが閉じられるようにしている。
なお、外部コネクタ３１を外部電線を介さずに操作器３２に一体的に組みつけてもよい。
【００１９】
次に、外部ツール３０を用いた電源遮断方法および電源供給開始方法について説明する。
車両を目的地に搬送する際には、外部ツール３０を用いて暗電流が供給される全ての負荷への暗電流の供給を遮断する。
詳細には、まず、操作員が車両側のコネクタ１５に外部ツール３０の外部コネクタ３１をコネクタ接続する。
次いで、図２に示すように、操作員の操作により外部ツール３０の送信スイッチ３５をオンして通信線４１、２６を介して電源供給制御用ＥＣＵ１４にリレー・オフ信号を送信する。このリレー・オフ信号を受信した電源供給制御用ＥＣＵ１４からの信号でリレー１２をオフして、電源分配器１３への電源供給を停止し、該電源分配器１３から電源が供給されて電源供給制御用ＥＣＵ１４を含む全てのＥＣＵへの暗電流の供給を停止する。このとき、外部ツール３０の開閉スイッチ３６は開成されている。
前記のように待機電源の暗電流がすべての負荷に供給されるのを遮断した後、操作員は外部ツール３０の外部コネクタ３１をコネクタ１５から取り外し、この状態で車両を搬送する。
【００２０】
一方、車両を目的地まで搬送した後、外部ツール３０を用いて暗電流の供給を開始する。
詳細には、まず、操作員が車両側のコネクタ１５に外部ツール３０の外部コネクタ３１をコネクタ接続する。
次いで、図３に示すように、操作員が外部ツール３０の開閉スイッチ３６を閉じ操作し、一端がバッテリ１１に接続され、他端がアース接続された回路を形成する。
これにより、リレーコイル１２ｂに一定時間以内（１秒程度）通電され、リレー接点１２ａを閉じてリレーをオン状態に切り替え、電源分配器１３に電源を供給し、該電源分配器１３を介して電源供給制御用ＥＣＵ１４を含む全てのＥＣＵへの暗電流の供給を開始する。
電源供給制御用ＥＣＵ１４への暗電流の供給が開始された後は、該電源供給制御用ＥＣＵ１４からのリレーオン信号でリレー１２のオン状態を維持する。
最後に、操作員が外部ツール３０の開閉スイッチ３０ｂを開き操作し、外部コネクタ３１をコネクタ１５から取り外す。
【００２１】
前記構成によれば、電源分配器１３とバッテリ１１との接続回路２１に介設した電源供給断続用のリレー１２をオフすることにより、該リレー１２をオン・オフ制御する電源供給制御用ＥＣＵ１４を含む全てのＥＣＵへの暗電流の供給を停止することができる。
これにより、例えば、車両を製造地からディーラー等の目的地まで搬送する間、電源回路中に設けられたヒューズ１３ａを抜き取ることなく全てのＥＣＵへの暗電流の供給を停止でき、バッテリ１１の消費電力の低減を図ることができる。
一方、車両を目的地に搬送した後の電源供給開始時には、電源供給制御用ＥＣＵ１４への暗電流の供給を遮断しているため該電源供給制御用ＥＣＵ１４でリレー１２をオンすることはできないが、外部ツール３０を用いることによって直接にリレー１２をオン状態に切り替えて、電源分配器１３を介して電源供給制御用ＥＣＵ１４を含む全てのＥＣＵへの暗電流の供給を再開することができる。
【図面の簡単な説明】
【００２２】
【図１】本発明の実施形態の車両用電源制御システムのブロック図である。
【図２】待機電源遮断時の車両用電源制御システムのブロック図である。
【図３】待機電源供給開始時の車両用電源制御システムのブロック図である。
【図４】従来例を示す図面である。
【符号の説明】
【００２３】
１０  車両用電源制御システム
１１  バッテリ
１２  電源供給断続用のリレー
１２ａ  リレー接点
１２ｂ  リレーコイル
１３  電源分配器
１４  電源供給制御用の電子制御ユニット（電源供給制御用ＥＣＵ）
１５  車体側コネクタ
３０  外部ツール（外部制御手段）
３１  外部コネクタ
３２  操作器
３５  送信スイッチ
３６  開閉スイッチ
【図１】
2008290604.tif 000003
【図２】
2008290604.tif 000004
【図３】
2008290604.tif 000005
【図４】
2008290604.tif 000006